(57)【要約】  【課題】  背面上部に吸込口を、前面下部に温風吹出口を夫々備えた温風暖房機に係わり、より詳細には、熱交換器を前記吸込口を通して容易に着脱できるようにして、洗浄性やメンテナンス性を向上できるようにした温風暖房機を提供する。  【解決手段】  背面上部に設けられた吸込口１と、前面下部に設けられた温風吹出口２とを結ぶ本体内の空気通路に、前記吸込口１に臨ませた熱交換器３と、送風ファン４とを設け、前記熱交換器３が、前記送風ファン４などを取り外すことなく前記吸込口１を通して容易に、且つ着脱可能に取り付けられるように構成した。【選択図】  図１
2006170548.tif 000002
【特許請求の範囲】
【請求項１】
背面上部に設けた吸込口と、前面下部に設けた温風吹出口とを結ぶ本体内の空気通路に、前記吸込口に臨ませた熱交換器と、送風ファンとが設けられ、
前記熱交換器が、前記吸込口を通して着脱可能に取り付けられるように構成されてなることを特徴とする温風暖房機。
【請求項２】
前記熱交換器が、同熱交換器を前記吸込口側から固定する固定手段を備えた熱交換器支持部により支持されてなることを特徴とする請求項１に記載の温風暖房機。
【発明の詳細な説明】
【技術分野】
【０００１】
本発明は、背面上部に吸込口を、前面下部に温風吹出口を夫々備えた温風暖房機に係わり、より詳細には、熱交換器を前記吸込口を通して容易に着脱できるようにした構造に関する。
【背景技術】
【０００２】
従来の温風暖房機は、図３および図４に示すように、背面上部に設けられ、フィルタ９および吸込グリル10に対向させた吸込口１と、前面下部に設けられた吹出グリル2aを有する温風吹出口２とを結ぶ空気通路に、接続ホース3aが接続された熱交換器３と、背板６によりカバーされた送風ファン４とが設けられ、前記熱交換器３により熱交換された温風が前記温風吹出口２から床面に沿うように吹き出されるようにしてなる構成であった。
【０００３】
前記熱交換器３は、例えば前記吸込口１から吸い込まれた空気中のホコリが付着した場合には、通風抵抗が増加したり熱交換効率が低下してしまうことになるため定期的に洗浄する必要があり、その際、例えば空気調和機のように露受皿を備えた構成にはなっていないことから、外部に取り出すことによって洗浄するようにしていた。
【０００４】
また、メンテナンス時や交換時にも、前記熱交換器３を外部に取り出したり、また取り付けたりする必要が生じるため、同熱交換器３を容易に着脱できるようにすることが望まれていた。
【０００５】
しかしながら、前記熱交換器３は、前記温風吹出口２を備えた前面パネル７（および上面／側面カバー８など）を取り外したのち、遮熱板５や、前記送風ファン４およびファンモータ4aなどを取り外さなければ外部に取り出すことができない構成になっていることから、作業性が悪く不便であった。
【０００６】
または、従来の温風暖房機として、温風を外部に吹き出す温風機と、この温風機に設けられた温風吹出口の外側となる前面パネルの表面に、磁石を介して着脱自在に採暖用の熱交換ユニットとを備えてなるものが開示されていた（例えば、特許文献１参照）。
【０００７】
この場合、前記熱交換ユニットは、温風暖房機の内部から外部に取り出しできて容易に清掃できるように構成されたものではなく、温風吹出口の外側となる前面パネルの表面に容易に着脱できる構成になっているものであって、前記温風機の外側に突出するように設けられていることから、突出している箇所が邪魔になってしまったり、見栄えを悪くしてしまうという欠点を有していた。
【０００８】
また、前記温風機の内部には熱交換器が設けられているが、例えば、同熱交換器を送風ファンなどを取り外すことなく容易に着脱できるようにすることによって、洗浄性やメンテナンス性を向上させるようにするための構成は開示されていなかった。
【０００９】
【特許文献１】特開昭６２−２１３６４５号公報（第１頁〜第３頁、第１図）
【発明の開示】
【発明が解決しようとする課題】
【００１０】
本発明は上記問題点に鑑み、背面上部に吸込口を、前面下部に温風吹出口を夫々備えた温風暖房機に係わり、より詳細には、熱交換器を前記吸込口を通して容易に着脱できるようにして、洗浄性やメンテナンス性を向上できるようにした温風暖房機を提供することを目的とする。
【課題を解決するための手段】
【００１１】
本発明は上記課題を解決するため、背面上部に設けた吸込口と、前面下部に設けた温風吹出口とを結ぶ本体内の空気通路に、前記吸込口に臨ませた熱交換器と、送風ファンとが設けられ、
前記熱交換器が、前記吸込口を通して着脱可能に取り付けられるように構成されている。
【００１２】
また、前記熱交換器が、同熱交換器を前記吸込口側から固定する固定手段を備えた熱交換器支持部により支持されてなる構成となっている。
【発明の効果】
【００１３】
本発明によれば、熱交換器が背面上部に設けた吸込口を通して容易に着脱可能に取り付けられるように構成したので、前記熱交換器の洗浄性やメンテナンス性を向上させることができるようにした温風暖房機を提供できる。
【発明を実施するための最良の形態】
【００１４】
以下、本発明の実施の形態を、添付図面に基づいた実施例として詳細に説明する。
図１は本発明による温風暖房機の断面図であり、図２は本発明による温風暖房機の分解斜視図である。
【実施例１】
【００１５】
本発明による温風暖房機は、図に示すように、背面上部に設けられた吸込口１と、前面下部に設けられた温風吹出口２とを結ぶ本体内の空気通路に、前記吸込口１側から固定する固定手段を備えた熱交換器支持部により支持された熱交換器３と、ファンモータに連係された送風ファン４とを設け、前記吸込口１から吸い込まれた室内空気が前記熱交換器３で熱交換されたのち、前記送風ファン４によって前記温風吹出口２から吹き出されるようにした構成になっている。
【００１６】
前記熱交換器３の前部と前面パネル７との間には遮熱板５が設けられ、前記ファンモータに連係された送風ファン４は、支持部材4aによって支持されると共に背面側が背板６によってカバーされている。
【００１７】
前記温風吹出口２には吹出グリル2aが着脱可能に装着され、前記熱交換器３の背面にはフィルタ９および吸込グリル10が夫々着脱可能に装着されるようになっている。
【００１８】
前記熱交換器支持部は、前記遮熱板５および前記背板６からなる構成になっており、前記熱交換器３は、図１で示すように、前記遮熱板５と前記背板６とで上下部が支持されることによって、同熱交換器３を容易に、且つ正確に支持できるようになると共に、前記吸込口１を大きく開放して前後に移動できるようにした構成になっている。
【００１９】
その際、前記熱交換器３から導出されて接続ホース3aに接続される配管は、前記遮熱板５もしくは前記背板６に設けられ後方が開放された通し穴ｄに沿って前後に移動できるようになっており、前記熱交換器３の取付時には、前記接続ホース3aと共に配管カバー11によってカバーされるようになっている。
【００２０】
また、前記熱交換器３の取り外し時には、前記接続ホース3aは、同接続ホース3aの先端部に接続されている図示しない温水コンセントから取り外しておけばよい。
【００２１】
なお、例えば図示しない熱動弁が使用されているような場合には、前記接続ホース3aは、前記熱交換器３側の管との接続部から取り外すようにしてもよい。
【００２２】
これによって、前記熱交換器３は、前記吸込グリル10と前記フィルタ９とを順次取り外したのち、図１の矢印ＡおよびＢで示すように、前記吸込口１から容易に着脱できるようになるため作業性が良好になる。
【００２３】
そのため、例えば前記熱交換器３を交換したりメンテナンスを行なうために温風暖房機から取り外したい場合には、前記送風ファン４や前記ファンモータなどの主要な構成部材を取り外すことなく、前記吸込グリル10と前記フィルタ９とを取り外すことによって、前記吸込口１を通して容易に取り外すことができるようになったり、また、容易に取り付けることができるようになる。
【００２４】
前記熱交換器３を取り付ける際、同熱交換器３を前記吸込口１から挿入し、同吸込口１側から、前記熱交換器３を固定する固定手段によって取り付けるようにすればよい。
【００２５】
前記固定手段は、前記熱交換器３の両側に設けられた側板に穿設した挿通孔ａと、同挿通孔ａを通したねじｃと、同ねじｃに対応して前記遮熱板５もしくは前記背板６に設けられたねじ孔ｂからなる構成になっており、前記挿通孔ａを通したねじｃを前記ねじ孔ｂに羅着して前記熱交換器３を固定するようになっている。
【００２６】
また、前記熱交換器３を取り外す際、前記吸込グリル10と前記フィルタ９とを順次取り外し、前記ねじｃを緩めて取り去ったのち、前記吸込口１から取り外すようにすればよい。
【００２７】
以上のように、温風暖房機には、空気調和機と違って前記熱交換器３の下部に露受皿が設けられていないことから、同熱交換器３を外部に取り外すことなく洗浄スプレーや水洗いによって清掃することができないという課題を有していたが、前記熱交換器３を容易に着脱できるようにしたことによって、洗浄時の作業性を大幅に向上できるようになる。
【００２８】
また、温風暖房機は、通常床面上に設置されて運転されることから、例えば壁掛け設置される空気調和機と比べれば前記吸込口１から室内のホコリが吸い込まれやすくなっており、そのため、前記熱交換器３のフィンにホコリが溜まりやすいという課題を有していた。
【００２９】
これにより、前記吸込口１から吸い込まれた吸込空気流に対する抵抗が、前記熱交換器３のフィンに溜まったホコリによって大きくなってしまい、通風量が減少して熱交換効率が低下してしまうという課題を有していたのに対し、前記熱交換器３を容易に取り外して洗浄スプレーや水洗いにより定期的に清掃できるようにすることで、こうした課題を解決できることになる。
【００３０】
以上説明したように、本発明によれば、前記送風ファン４やファンモータといった主要な構成部材を取り外すことなく、前記熱交換器３が背面上部に設けられた前記吸込口１を通して容易に、且つ着脱可能に取り付けられるように構成したので、同熱交換器３の洗浄性やメンテナンス性を向上させることができるようにした温風暖房機となる。
【００３１】
温風暖房機の背面側から、前記熱交換器３を容易に着脱できるように構成したことにより、同熱交換器３の洗浄時やメンテナンス時以外であっても、例えば通常の生産時においても組立の作業性が良好になる。
【００３２】
なお、前記熱交換器３が前記吸込口１を通して取り付けられる際、同熱交換器３の前部を遮蔽する前記遮熱板５と、同遮熱板５に一体的に形成され前記送風ファン４の背面側をカバーする前記背板６とからなる熱交換器支持部で上下部が支持されるようにした構成になっているので、前記遮熱板５および前記背板６によって構成される前記吸込口１を大きく開放できるようになり、これによって、室内空気を効率よく吸い込めると共に、前記熱交換器３を容易に着脱できるようになる。
【図面の簡単な説明】
【００３３】
【図１】本発明による温風暖房機の断面図である。
【図２】本発明による温風暖房機の分解斜視図である。
【図３】従来例による温風暖房機の断面図である。
【図４】従来例による温風暖房機の分解斜視図である。
【符号の説明】
【００３４】
１  吸込口
２  温風吹出口
2a  吹出グリル
３  熱交換器
3a  接続ホース
４  送風ファン
4a  ファンモータ
4b  支持部材
５  遮熱板
６  背板
７  前面パネル
９  フィルタ
10  吸込グリル
11  配管カバー
ａ  挿通孔
ｂ  ねじ孔
ｃ  ねじ
ｄ  通し穴
【図１】
2006170548.tif 000003
【図２】
2006170548.tif 000004
【図３】
2006170548.tif 000005
【図４】
2006170548.tif 000006